(57)【要約】      （修正有）【課題】省スペース化されたエレベータのかご室内に映像を映写するエレベータ表示システムを提供する。【解決手段】エレベータ表示システムは、エレベータのかご１内に映写手段３を設置したエレベータ表示システムにおいて、かご位置、運転方向、走行時間、停止予定階およびかご戸の開閉状況を含むエレベータの運転情報を検出する運転情報検出手段５と、運転情報検出手段が検出した運転情報に基づいて運転情報を含む映像情報を制御する映像制御手段７と、を備え、映写手段は、かごの天井２に設置され、映像情報を戸面を含むかご出入口側正面へ映写する。【選択図】図１
2008156066.tif 000002
【特許請求の範囲】
【請求項１】
エレベータのかご内に映写手段を設置したエレベータ表示システムにおいて、
かご位置、運転方向、走行時間、停止予定階およびかご戸の開閉状況を含むエレベータの運転情報を検出する運転情報検出手段と、
上記運転情報検出手段が検出した運転情報に基づいて運転情報を含む映像情報を制御する映像制御手段と、
を備え、
上記映写手段は、上記かごの天井に設置され、上記映像情報を戸面を含むかご出入口側正面へ映写することを特徴とするエレベータ表示システム。
【請求項２】
上記映写手段は、かご室中央よりかご戸側に近い天井に設置されることを特徴とする請求項１に記載のエレベータ表示システム。
【請求項３】
上記映写手段は、映写倍率を映写する映写位置のスペースまたは映像情報に合わせて変更することを特徴とする請求項１に記載のエレベータ表示システム。
【請求項４】
外部から映像情報を取り込む外部情報入力手段を備え、
上記運転情報検出手段が検出した運転情報により上記映像制御手段が上記映写手段の入り切り、映写位置、映像情報を切り換えることを特徴とする請求項１乃至３のいずれか一項に記載のエレベータ表示システム。
【請求項５】
上記運転情報検出手段が停止または戸開き前所定の時間になると、上記映像制御手段が映像をかご位置、運転方向、停止予定階を含むエレベータの運転情報に切り換えることを特徴とする請求項４に記載のエレベータ表示システム。
【発明の詳細な説明】
【技術分野】
【０００１】
この発明は、エレベータのかご室内に情報を表示するエレベータ表示システムに関する。
【背景技術】
【０００２】
エレベータのかご室内に映像を表示する一般的な方法として、かご内操作盤や上板にディスプレイを設置しそのディスプレイに映像を表示する方法があるが、近年機械室の機器を昇降路内に設置した機械室レスエレベータが普及し、かご室にも省スペースが求められるようになり、その結果操作盤やかご室上板にディスプレイを設置するスペースを確保することが難しくなってきている。
そこで、かご室の天井や床にスクリーンだけを配置し、裏側から映写する方法が提案されている（例えば、特許文献１参照）。
また、かご室の天井に投影器を設置し、袖壁面に仮想制御パネルを映写する方法が提案されている（例えば、特許文献２参照）。
【０００３】
【特許文献１】特開平６−２１１４５１号公報
【特許文献２】特開２０００−２６０３３号公報
【発明の開示】
【発明が解決しようとする課題】
【０００４】
しかし、スクリーンに裏側から映写する方法では、映写手段を天井裏または床下に配置することになるが、天井裏または床下にそれだけのスペースを確保することが難しいという問題がある。
また、かご室内の省スペース化にともない袖壁面の面積が縮小されるので、必要な映像を表示する面積を確保できないという問題がある。
【０００５】
この発明の目的は、省スペース化されたエレベータのかご室内に映像を映写するエレベータ表示システムを提供することである。
【課題を解決するための手段】
【０００６】
この発明に係わるエレベータ表示システムは、エレベータのかご内に映写手段を設置したエレベータ表示システムにおいて、かご位置、運転方向、走行時間、停止予定階およびかご戸の開閉状況を含むエレベータの運転情報を検出する運転情報検出手段と、上記運転情報検出手段が検出した運転情報に基づいて運転情報を含む映像情報を制御する映像制御手段と、を備え、上記映写手段は、上記かごの天井に設置され、上記映像情報を戸面を含むかご出入口側正面へ映写する。
【発明の効果】
【０００７】
この発明に係わるエレベータ表示システムの効果は、出入口上板部、袖壁面上部に内蔵設置される通常の表示手段の代わりに、映写手段がかご室天井部から上記出入口上板部、袖壁面上部表面に映写するので、表示手段を設置する必要がなく、表示位置に促われず、省スペース化されたかご室上板部および袖壁部にも対応することができることである。
【発明を実施するための最良の形態】
【０００８】
実施の形態１．
図１は、この発明の実施の形態１に係わるエレベータ表示システムの構成図である。
この発明の実施の形態１に係わるエレベータ表示システムは、エレベータのかご１の室内側の天井２に設置された映写手段としてのプロジェクタ３とプロジェクタ３を制御する制御装置４を備える。
そして、制御装置４は、運転情報検出手段５、外部情報入力手段６、映像制御手段７を有している。この制御装置４はＣＰＵ、ＲＯＭ、ＲＡＭ、インターフェース回路を有するコンピュータから構成されている。
運転情報検出手段５は、図示しないエレベータ戸装置による戸９の開閉状況から戸開閉情報、図示しないエレベータ運転装置から走行方向やかご位置情報を検出し、それらを運転情報として出力する。
外部情報入力手段６は、ユーザ情報やコンテンツなどの外部情報を外部から取り込むための入力インターフェースである。
【０００９】
プロジェクタ３は、運転情報検出手段５により検出され出力された戸９の開閉状況に基づき映像制御手段７により制御され、映像を映写する。
また、プロジェクタ３は、かご室中央より戸９側に近い天井２に設置され、映像が映写される場所は、戸９の上部１０である。なお、戸９の上部１０からはみ出してかご出入口側正面に映像を映写しても良い。
そして、図２に示すように、プロジェクタ３が天井２の中央付近に設置される場合には乗客がプロジェクタ３からの光線を遮ってしまい映像に影が入ってしまうが、図３に示すように、戸９の上方の上板に近い天井２に設置すると乗客による映像への影響を回避することができる。
【００１０】
映像制御手段７は、外部情報入力手段６により取り込んだ外部情報と運転情報検出手段５から出力されるかごの運転情報を映像データに変換し、この映像データの映写を運転情報検出手段５によって検出し出力された戸９の開閉状況に応じて制御する。
映像制御手段７は、運転情報検出手段５が戸９の戸開動作の開始を検出すると、戸９の上部１０への映写を中止する。また、運転情報検出手段５が戸９の全閉を検出すると、戸９の上部１０に外部情報を変換した映像（以下、外部情報映像と称す）を映写する。また、運転情報検出手段５がかご１の停止予定時点から所定の時間遡る時点を検出すると、戸９の上部１０に運転情報を変換した映像（以下、運転情報映像と称す）を映写する。
【００１１】
図４は、この発明の実施の形態１に係わるエレベータ表示システムの映写手順を示すフローチャートである。
次に、この発明の実施の形態１に係わるエレベータ表示システムの映写手順を図４を参照して説明する。なお、かごが停止階に停止し戸９が全開であるときから説明を始める。
ステップＳ１１では、かごが停止階に停止し戸９が全開であるので、戸９の上部１０への映写は中断している。
ステップＳ１２では、戸が全閉であるか否かを判断し、全閉であるときステップＳ１３に進み、全閉でないときステップＳ１１に戻る。このエレベータではかごが全閉になるとエレベータ制御装置がかごを行先階への走行を開始する。
ステップＳ１３では、かご戸面上部に外部情報映像を映写する。
ステップＳ１４では、かごの停止完了時点から所定の時間遡った時点を過ぎたか否かを判断し、過ぎているときステップＳ１５に進み、過ぎていないときステップＳ１３に戻る。
ステップＳ１５では、戸面上部に運転情報映像を映写する。
ステップＳ１６では、かごが停止し戸開動作を開始したか否かを判断し、戸開動作を開始しているときステップＳ１７に進み、戸開動作が開始されていないときステップＳ１５に戻る。
ステップＳ１７では、戸面上部への映写を中止しステップＳ１１に戻る。
【００１２】
このようにしてかごが走行中外部情報映像を、かごが停止する前の所定の時間の間運転情報映像を戸面上部に映写されるので、戸面の上部を映写のスクリーンとして用いることができ、別途ディスプレイをかご室内に設置しなくてもよい。
また、かごが停止階に到着する前の所定の時間の間、運転情報映像が映写されるので、乗客は運転情報を見ており、降車までの準備時間が与えられ、降車タイミングを逸することを防ぐことができる。
また、走行中は風景映像などの外部情報映像が映写されるので、乗客に癒しを与えることができる。
また、戸開動作の開始にともなって戸面への映写を中断するので、かごに乗り込む乗客が眩しくなったり、違和感を感じたりすることを防げる。
また、戸の上方の上板近くの天井にプロジェクタ３を設置し、戸面上部に対して斜め上方から光線が照射されるので、乗車している乗客がこの光線を遮ることがない。
また、通常乗客は戸に向き合って乗車し、プロジェクタ３により戸面上部へ映写しているので、乗客が戸開きを見逃すことがなく、停車時にはスムーズな降車を可能にする。
【００１３】
実施の形態２．
図５は、この発明の実施の形態２に係わるエレベータ表示システムの構成図である。
この発明の実施の形態２に係わるエレベータ表示システムは、図５に示すように、実施の形態１に係わるエレベータ表示システムとプロジェクタ３Ｂと映像制御手段７Ｂが異なり、それ以外は同様であるので、同様な部分に同じ符号を付記し説明は省略する。
この発明の実施の形態２に係わるプロジェクタ３Ｂは、かご室中央より戸９側に近い天井２に設置され、映像が映写される場所は、図６に示すように、かご室内から見て左側袖壁１１の上部１２、戸９の上部１０、右側袖壁１３の上部１４の３箇所である。
そして、プロジェクタ３Ｂは、３箇所に映写するため３つのプロジェクタで構成されている。なお、省スペース化のために、多重表示などの映像処理を行い、１つのプロジェクタによって３箇所に映写してもよい。
【００１４】
映像制御手段７Ｂは、運転情報検出手段５により戸９の全閉を検出すると、外部情報映像を左側袖壁１１の上部１２と戸９の上部１０の両方に映像のサイズを適切に合わせて映写する。また、運転情報検出手段５がかご１の停止時点から所定の時間遡る時点を検出すると、外部情報映像を左側袖壁１１の上部１２だけに映写し、運転情報映像を右側袖壁１３の上部１４と戸９の上部１０の両方に映像のサイズを適切に合わせて映写する。また、運転情報検出手段５が戸９の戸開動作の開始を検出すると、運転情報映像を右側袖壁１３の上部１４だけに行う。
この運転情報映像は、運転情報検出手段５により検出された運転情報を基に、例えば、図７に示すように、運転方向とかご位置情報を映像データに変換したものである。
なお、左右袖壁への映写は、左右逆の映像を映写しても同じ効果が得られる。
【００１５】
図８は、この発明の実施の形態２に係わるエレベータ表示システムの映写動作手順を示すフローチャートである。
次に、この発明の実施の形態２に係わるエレベータ表示システムの映写動作手順を図８を参照して説明する。なお、かごが停止階に停止し戸が全開であるときから説明を始める。
ステップＳ２１では、かごが停止階に停止し戸が全開であるので、左側袖壁１１の上部１２に外部情報映像、右側袖壁１３の上部１４に運転情報映像が映写されている。
ステップＳ２２では、戸９が全閉であるか否かを判断し、全閉であるときステップＳ２３に進み、全閉でないときステップＳ２１に戻る。このエレベータではかご１の戸９が全閉になるとエレベータ制御装置がかご１を行先階へ走行させる。
ステップＳ２３では、戸９の上部１０にも外部情報映像を映写する。
ステップＳ２４では、かご１の停止完了時点から所定の時間遡った時点を過ぎたか否かを判断し、過ぎているときステップＳ２５に進み、過ぎていないときステップＳ２３に戻る。
ステップＳ２５では、戸９の上部１０に外部情報映像の代わりに運転情報映像を映写する。
ステップＳ２６では、かご１が停止し戸開動作を開始したか否かを判断し、戸開動作を開始しているときステップＳ２７に進み、戸開動作が開始されていないときステップＳ２５に戻る。
ステップＳ２７では、戸９の上部１０への映写を中止しステップＳ２１に戻る。
【００１６】
このように外部情報映像を左側袖壁１１の上部１２と戸９の上部１０の両方に映写することにより、満員時に戸９の上部１０に映写される映像が見え難い奥側に乗車している乗客にも見えるようにして全ての乗客に映像を提供することができる。
また、かご１が停止し戸９が開いているときも左側袖壁１１の上部１２に外部情報映像の映写を継続しているので、それまで戸９の上部１０に映写していた映像を見ていた乗客は左側袖壁１１の上部１２に映写されている同一の映像を見続けることができるため、映写中断による焦燥感を与えなくて済む。
【００１７】
また、乗客は戸９の上部１０に映写される外部情報映像を見ながら同時に運転情報を画像から確認できるので、誤った階に下車するような事態を減らすことができる。
また、右側袖壁１３の上部１４に映写されている映像のサイズも左側袖壁１１の上部１２と同様に任意に変更することができるので、かごや袖壁のサイズ、映写位置に合わせた適切な映像サイズにすることで視認性を向上させたり、映写スペースに合わせた映像表示が可能になったりする。
【００１８】
近年省スペース化の要請により、かご室上板のサイズも狭くなる傾向にあり、上板への映写スペースの確保が難しくなってきている。さらに、袖壁内に液晶ディスプレイなどの表示装置を設置する場合、表示装置の画面サイズや厚さの制約から袖壁内に表示装置を設置することができない場合がある。一方、上述の実施の形態に係わるエレベータ表示システムを適用することにより、省スペース化したかご室内に映像を映写することができる。
【図面の簡単な説明】
【００１９】
【図１】この発明の実施の形態１に係わるエレベータ表示システムの構成図である。
【図２】プロジェクタを天井の中央に設置したとき乗客が光線を遮る様子を示す図である。
【図３】プロジェクタを戸の上方の上板の近くの天井に設置したとき乗客により光線が遮られない様子を示す図である。
【図４】この発明の実施の形態１に係わるエレベータ表示システムの映写手順を示すフローチャートである。
【図５】この発明の実施の形態２に係わるエレベータ表示システムの構成図である。
【図６】実施の形態２において映像を映写する箇所を示す図である。
【図７】実施の形態２における運転情報映像の一例である。
【図８】この発明の実施の形態２に係わるエレベータ表示システムの映写手順を示すフローチャートである。
【符号の説明】
【００２０】
１  （エレベータの）かご、２  （かごの）天井、３、３Ｂ  プロジェクタ、４  制御装置、５  運転情報検出手段、６  外部情報入力手段、７、７Ｂ  映像制御手段、９  戸、１０  （戸の）上部、１１  左側袖壁、１２  （左側袖壁の）上部、１３  右側袖壁、１４  （右側袖壁の）上部。
【図１】
2008156066.tif 000003
【図２】
2008156066.tif 000004
【図３】
2008156066.tif 000005
【図４】
2008156066.tif 000006
【図５】
2008156066.tif 000007
【図６】
2008156066.tif 000008
【図７】
2008156066.tif 000009
【図８】
2008156066.tif 000010